(57)【要約】【課題】  簡単な構造で安価に装置を製作することができ、しかも飼育対象となっている環形動物の習性を利用しながら、餌場を広く確保して効率的な飼育が可能な環形動物飼育装置と環形動物飼育方法を提供する。【解決手段】  複数の窓孔１５が形成された側面の外側に棚部１２を備える容器２と、この容器２内部を覆う網部５と、前記容器２内部に収容され上面から下面へ貫通する複数の孔４を備える板状体３であってその下部に環形動物９の成育空間を形成し前記孔４を通じて前記上面と前記成育空間との間の移動を可能とする多孔板３とを有するものである。【選択図】  図１
2005176771.tif 000002
【特許請求の範囲】
【請求項１】
複数の窓孔が形成された側面の外側に棚部を備える容器と、この容器内部を覆う網部と、前記容器内部に収容され上面から下面へ貫通する複数の孔を備える板状体であってその下部に環形動物の成育空間を形成し前記孔を通じて前記上面と前記成育空間との間の移動を可能とする多孔板とを有することを特徴とする環形動物飼育装置。
【請求項２】
前記成育空間は、下部にマサ土部を配置しそのマサ土部の上面と前記多孔板の間に砂部を配置して二層構造を形成することを特徴とする請求項１記載の環形動物飼育装置。
【請求項３】
請求項１に記載された環形動物飼育装置の成育空間に土又は砂を入れ、前記環形動物飼育装置を養魚介施設の排水路中に浸漬させた後、前記環状動物飼育装置の多孔板の上面に環形動物を放すことを特徴とする環形動物飼育方法。
【発明の詳細な説明】
【技術分野】
【０００１】
本発明は釣りのエサとなるイワムシ（本虫ともいう。）、ゴカイあるいはイソメなどの環形動物を飼育するための装置と方法であり、特に簡単な構造で環形動物の特性を活かしながら効率的に飼育する環形動物飼育装置とその方法に関するものである。
【背景技術】
【０００２】
魚釣りにはイワムシ、ゴカイあるいはイソメなどの環形動物のエサが欠かせないが、このエサは河口などで採取する場合もあるが手間がかかる割に収穫が少ない場合もあり、従来養殖されることも多い。
例えば、本願発明者も過去特許文献１に「イワムシ飼育装置」として、適当個所に適当厚さに成る多孔板を設置して多孔板の下方に砂のようなものから成る被侵入部を設けるとともにその上方に海水を満たす考案を開示している。
この考案によれば、多孔板の上面に海藻などのエサを置き、多孔板の下部に巣孔を形成することになるので多孔板を境界に明確に分離でき、タンク内を常に清潔に維持しながらイワムシを飼育できるという効果があった。
【０００３】
また、特許文献２には、イワムシなどが巣穴を作ってその中に棲むという習性を利用した「釣餌用長尺環形動物の養殖法及び養殖具並びに養殖装置」が開示されている。この発明では、長尺環形動物の幼虫を挿入したパイプを水槽中に投入した状態で少なくとも上半部を直立方向に設置してパイプの開口端付近に棚板を設けてそこへ餌を補給するものである。
このような発明によれば、パイプがそのまま棲みかとなり外敵に襲われる心配もなく成育して効率的に養殖することができる。
【０００４】
さらに、最近では特許文献３に「循環海水を用いた海産動物養殖方法及び海産動物養殖用水槽システム」として海産動物の糞や残餌を処理する多毛類からなる海水浄化層と無機塩類を処理する藻類によって浄化された海水を循環させるとともに、藻類が海産動物の餌となることにより海産動物を養殖する方法などが開示されている。
これは、環形動物に含まれる多毛類の養殖を主目的とするものではなく、魚介などの海産動物を養殖する際にその養殖施設の使用済みの海水を環境へ放出するのではなく、多毛類と藻類を用いながら海産動物の糞や残餌を処理して海水を循環させる養殖方法を提供するものである。
この方法によって海水の循環使用が可能となり環境に対していわゆる優しい養殖が可能であると同時に藻類を海産動物の餌に利用できるなど一種の食物連鎖が形成されるという効果がある。
【０００５】
【特許文献１】実開昭５４−１０４６９９号公報
【特許文献２】特開昭５８−１３３３３号公報
【特許文献３】特開平１１−５６１６２号公報
【発明の開示】
【発明が解決しようとする課題】
【０００６】
しかしながら、上述の特許文献１に開示された考案においては、タンク内を仕切る多孔板によって餌が配置されている空間とイワムシの居住空間が分離されていてタンク内の環境を清潔に保持できるものの、タンク内の容量に比較して餌が配置されている領域が狭いため、タンク内で飼育できるイワムシの数には限界があるという課題があった。
【０００７】
特許文献２に開示された発明においても、パイプ毎に環形動物の幼虫を挿入するため環形動物の行動範囲が限られ、また、給餌場所も限定されてしまいやはり養殖の効率が高いとは言えないという課題があった。
【０００８】
特許文献３においては、特に多毛類の養殖を主目的とするものではないためということもあるが、多数の養殖を目指すものではなく、あくまで海産動物の糞や残餌の処理を目的としているため、多毛類の効率的な養殖という観点からは視点がずれるものである。
また、海産動物の糞や残餌の処理という観点からすると、海産動物の成育エリアを、多毛類を用いた海水浄化層内に設けているため、処理効率は良いと考えられる。しかしながら、このような構造であれば、大型の海産動物の養殖で大きな容器が必要となる場合や、小型の海産動物であっても大規模な養殖を営む場合には、それを囲む大きな多毛類の海水浄化層が必要となり、全体的な養殖効率としては必ずしも高いとは言えないという課題があった。
また、海水を循環させるためのポンプなどの設置が不可欠であり、システムが複雑となりメンテナンスの負荷が高く、時間やコストがかかるという課題もあった。
【０００９】
本発明はかかる従来の事情に対処してなされたものであり、簡単な構造で安価に装置を製作することができ、しかも飼育対象となっている環形動物の習性を利用しながら、餌場を広く確保して効率的な飼育が可能な環形動物飼育装置と環形動物飼育方法を提供することを目的とする。
【課題を解決するための手段】
【００１０】
本発明の請求項１に記載の環形動物飼育装置においては、上述の問題点を解決するため、複数の窓孔が形成された側面の外側に棚部を備える容器と、この容器内部を覆う網部と、容器内部に収容され上面から下面へ貫通する複数の孔を備える板状体であってその下部に環形動物の成育空間を形成し孔を通じて上面と成育空間との間の移動を可能とする多孔板を有している。
上記構成の環形動物飼育装置において、多孔板の上面のみならず、容器の側面に備えられた棚部にも餌を配置させることができるという作用を有する。
多孔板の上面は一面であるが、容器の側面は四方存在しているので効率的な給餌が可能となるのである。
網部は、その繊維の隙間を自らの力で拡げることで環形動物が成育空間から胴体を乗り出して容器側面に設けられた棚部にある餌を摂取でき、かつ容器側面から外界へ逃げたり流されたりしないように環形動物の体を保持する作用を有する。
環形動物は、このような網部から頭を出しながらもそこから体全体を露出することを嫌う性質があるので、網部から胴体をすべて出してしまうことなく、胴体の半分は成育空間に身を残して餌を摂取するのである。
【００１１】
また、請求項２に記載の発明である環形動物飼育装置においては、請求項１記載の環形動物飼育装置において、成育空間は、下部にマサ土部を配置しそのマサ土部の上面と多孔板の間に砂部を配置して二層構造を形成するものである。
このような構成の環形動物飼育装置においては、請求項１に記載の作用に加えて砂部が多孔板の下面とマサ土部の隙間を埋めるという作用を有する。
【００１２】
さらに、請求項３に記載の発明である環形動物飼育方法においては、請求項１に記載された環形動物飼育装置の成育空間に土又は砂を入れ、環形動物飼育装置を養魚介施設の排水路中に浸漬させた後、前記環形動物飼育装置の多孔板の上面に環形動物を放すものである。
上記構成の環形動物飼育方法においては、請求項１に記載した発明を方法発明として捉えるものであり、養魚介施設の排水路へ放出される魚介類の糞や残餌を環形動物飼育装置の容器上側から多孔板上面へ導くと同時に、容器側面に設けられた棚部へも魚介類の糞や残餌が堆積させることができるという作用を有する。また、多孔板と網部は、多孔板に穿設された孔を通じて成育空間に居住するイワムシなどの環形動物に対して這い出て餌を摂取させたり、あるいは他の環形動物に対して網部の繊維の隙間を拡げることで胴体を棚部側へ乗り出して餌を摂取させたりするという作用を有する。
【発明の効果】
【００１３】
本発明の環形動物飼育装置や環形動物飼育方法においては、容器の側面に備えられた棚部と容器内部に覆い敷かれた網部が相まって、簡単な構造と限られた容量で多量の環形動物を効率的に飼育することができる。とりわけ網部を容器内に覆い敷くことにより成育空間にいる環形動物が棚部に胴体を乗り出しても完全に胴体を露出することなく、環形動物の胴体を保持することができる。
また、特に請求項２に記載の環形動物飼育装置においては、成育空間において、マサ土部と砂部の２層構造を形成させることによって、マサ土部のみであった場合に形成される多孔板下面の隙間を、マサ土よりも目の細かい砂部によって埋めることができる。環形動物は、土や砂がなく胴体を支えることができない空洞の空間に巣穴を形成できないため、この砂部によって多孔板下部において環形動物が巣穴を形成しやすくなるのである。
以上のように環形動物の習性を利用したり、その習性に沿った構成とすることによってより効率的な環形動物の飼育を実施可能とするものである。
【発明を実施するための最良の形態】
【００１４】
以下に本発明の実施の形態に係る環形動物飼育装置と環形動物飼育方法について図１乃至図５を参照しながら説明する。
図１は本発明の実施の形態に係るイワムシ飼育装置の外形図である。
図１において、イワムシ飼育装置１は本体容器２内面を網部５で覆うようにしておき、そこへ土や砂を敷いてイワムシ９の成育空間を形成する。この成育空間の上部には複数の孔４を備えた多孔板３を設置する。
本体容器２の四方の側面は、横板１０と縦板１１によって窓孔１５が形成されており本体容器２内外が連通されている。この窓孔１５からは本体容器２の内面を覆う網部５が見える構成となっている。但し、網部５の網の目は粗いものではなく、後述するがイワムシ９がその縦横の繊維をずらして胴部を乗り出すことができる程度のものであるため成育空間を形成する土や砂はそう容易には網部５から漏れることがない。
また、この本体容器２の側面の外側には二段のエサ棚１２，１２が周設されており、その端部には縁１３が設けられている。
【００１５】
このように構成されるイワムシ飼育装置１は、河口や磯、港湾内に沈めたり、後で図５を参照しながら説明するとおり、魚介類の養殖場などの施設から排水される養殖水に含まれる魚介類の糞や残餌を利用するようにして、養殖場の排水路などに設置される。
従って、図１に示されるように、通常の飼育状態では本体容器２内部にも水６が十分に供給される。
【００１６】
ここで、イワムシ飼育装置１を用いた飼育方法について説明を追加する。イワムシ飼育装置１内面を網部５で覆い、その後、土あるいは砂などイワムシ９の成育空間を形成し得るものを入れ、その上部に多孔板３を敷く。多孔板３を敷いた後に、多孔板３上にイワムシ９の幼虫や成虫を放す。この状態で水に漬けたりあるいは養殖場の排水路に設置すれば、イワムシ９は多孔板３の孔４から成育空間内部に巣穴を掘って潜る。設置当初はエサをまく必要があると考えられるが、次第に多孔板３上面やエサ棚１２にアオサ７やその他の海藻８が成長することでエサをまく頻度は減少させてもよい。また、養殖場の排水に豊富なエサが含まれる場合にも同様である。
イワムシ９は多孔板３の上に穿設された孔４から胴部を出して多孔板３表面に繁茂する海藻８やアオサ７を餌として摂取する。さらに、多孔板３の下方に形成される成育空間内から網部５の繊維をずらしながら孔を作り、そこから胴部をエサ棚１２側に乗り出してエサ棚１２に生えたアオサ７やその他の海藻８、あるいは養殖場から排出されたエサ１４を食べることも可能である。
【００１７】
なお、本実施の形態に係るイワムシ飼育装置１は、特にイワムシ９に限定するものではなく、ゴカイやイソメなどの環形動物全般の飼育に用いることができる。また、本体容器２の材質は特に限定するものではないが、長時間海水や真水に漬けておいても腐食することのない耐久性を備えた材質、例えば合成樹脂などの材質であることが望ましい。さらに、側面に形成される窓孔１５の大きさや個数も特に限定しないが、その窓孔１５から網部５を介してイワムシ９が胴体を乗り出すため、ある程度の大きさと個数が必要である。すなわち、この窓孔１５の面積が、イワムシ９のエサ棚１２への乗り出しに関係し、給餌効率にも影響するので、イワムシ９の飼育数などに応じて十分な窓孔１５が確保されることが望ましい。エサ棚１２の個数も適宜、図示される二段から三段、あるいは４段、一段などイワムシ９の飼育数に合わせて調整されることが望ましい。
【００１８】
図２は、図１に示されるＡ−Ａ線矢視断面図である。
図２において、図１と同一部分については同一符号を付しその構成の説明は省略する。イワムシ９の成育空間を構成するのは、多孔板３のすぐ下方に砂２２でできた層とそのさらに下方を構成するマサ土２１の層である。二層構造としたのは、本来マサ土２１の層がイワムシ９の成育には適しているものの、マサ土２１は花こう岩質であり石英、長石、雲母によって構成され粗粒質であるため、表面に凹凸が残りやすい。土壌の表面に凹凸を残したまま多孔板３を敷くと土壌と多孔板３の間に空隙が形成されてしまう。イワムシ９は土や砂のない空隙では巣を作りづらいという習性があるため、このような凹凸をなくして多孔板３と密着させるようにするほうがイワムシ９の飼育には望ましい。そこで、マサ土２１の上側に目の細かい砂２２の層を形成させて平らにしておき、そこへ多孔板３を敷くのである。
このようにすることで、砂２２の層と多孔板３が密着し、イワムシ９が孔４から砂２２の層へ入り、巣穴２０を掘りやすくなる。
【００１９】
また、多孔板３の上面のみならず、周囲に設けられたエサ棚１２にもアオサ７や海藻８あるいは養殖場からの排出される残ったエサ１４が堆積するため、より給餌の効率が高くなる。網部５の網目の繊維をずらしながらイワムシ９が孔を作ってエサ棚１２に乗り出してエサ１４を食べることができるので、いわば三次元的に飼育をすることが可能である。
また、横板１０と縦板１１で形成される窓孔１５があるため外部との水の循環が可能であるため、定期的な水の交換などのメンテナンスも不要であり、養魚場の排水路などに設置した場合には、エサ１４を与える手間も省け、作業員の負担や時間も軽減される。
縁１３を設置しているのは一旦エサ棚１２に堆積したエサ１４などがこぼれてしまうことを防止して常に十分な給餌が可能となるようにするためである。
【００２０】
次に、図３及び図４を参照しながら、イワムシ９が網部５の繊維をずらすことについて説明を加える。図３は図１に示すＢの部分の拡大図であり、図４は網部の繊維表面を模式した拡大図である。
図３において、縦板１１の間から見える網部５は、縦繊維５ａと横繊維５ｂから構成されている。この縦繊維５ａと横繊維５ｂの織りについては、例えば図４に示されるとおりである。
イワムシ９は本体容器２の内部に形成された成育空間からエサ棚１２に堆積したエサ１４の匂いに引かれて網部５から胴体を乗り出そうとする。網部５は通常の状態では、目が粗くないので、内部からマサ土や砂がこぼれるようなことはない。そのような状態でイワムシ９は、頭を内部から網部５の表面に擦りつけ、縦繊維５ａと横繊維５ｂの間に形成される小さな網目に頭を入れ、少しずつ縦繊維５ａと横繊維５ｂを周囲にずらして孔を作っていく。自分の胴体が出る程度の孔を開けてそこから胴体をエサ棚１２に乗り出していく。
その際に、イワムシ９の習性としてすべての胴体をマサ土や砂から露出させるようなことがない。従って、外部環境に逃げたり、あるいは外部の水流に流されたりする心配もない。胴体を網部５から半分程度出したままエサ棚１２上のアオサ７、その他の海藻８やエサ１４を摂取するのである。従って、網部５は、マサ土や砂とともにイワムシ９の胴体を保持する作用も有しているのである。
【００２１】
エサ１４を摂取した後には、再び、イワムシ９は土や砂などの中に戻っていく。完全に網部５から胴体や頭が隠れてしまうと、時間とともにイワムシ９が開けた孔が詰まっていき、そこから大量の土や砂が漏出することはない。
なお、網部５の材質は植物性のものでも合成繊維でもよく、その繊維の目の粗さは、繊維をずらしてイワムシ９などの環形動物が胴体を出すことができる程度であればよい。
【００２２】
最後に図５を参照しながら、イワムシ飼育装置１を魚介類の養殖場の排水路中に浸漬した場合について説明する。図５は、本実施の形態に係るイワムシ飼育装置を排水路に浸漬した状態を示す概念図である。
図５において、図１と同一部分については同一符号を付し、その構造については説明を省略する。
イワムシ飼育装置１は、本体容器２上部の４箇所に固定具２７を備えており、これに２本の支持部材２５を挿通して岸２４に渡して、吊って支持すると同時に、本体容器２の下部にはブロック２８を敷いて下部からも支持している。本実施の形態においては、吊って支持すると同時にブロック２８を敷いて下部から支持する方法を採用しているが、これらは基本的には独立の方法であり、本体容器２などの荷重や設置場所の状態を考慮しながらいずれか一方を用いてもよい。
符号２９で示される水流方向から養殖場の排水が行われており、その排水２６中に浸漬されている。本体容器２の側面には窓孔が形成されているため、本体容器２の上部から浸水しなくとも側面からも浸水させることができる。また、図１においては本体容器２の内面を覆う網部の上端部の位置は、本体容器２の上端部よりも下方に留まっているが、これを本体容器２の上端部に合わせておくと、排水路２３の水位が本体容器２の上端部よりも低い場合には養殖場からのエサが本体容器２の上面や側面から浸入することがない。従って、エサはエサ棚１２にのみ堆積させることができ、不要なエサを多孔板３の上面に取り込むことがなく腐敗による環境悪化を防止することができる。すなわち、イワムシ飼育装置１内で飼育しているイワムシ９の数を考慮しながら給餌量を調整することも可能である。
【００２３】
なお、固定具２７の深さを調節可能にしたり、あるいは支持部材２５に段差をつけることによって本体容器２の排水路２３内において深さ方向に位置調整することができる。もちろん、ブロック２８の高さも大小揃えて調整可能とするとよい。また、岸２４に支持部材２５を固定するための溝などを形成することも有用である。
【産業上の利用可能性】
【００２４】
本発明に係る環形動物飼育装置や環形動物飼育方法は、イワムシのみならず、その他の環形動物の飼育に利用することができる。趣味で行う飼育のみならず、本体容器の大きさや数によっては、釣餌用の環形動物の養殖場に利用可能である。その際には、例えば魚介類の養魚場の排水設備に隣接させることによって、残餌や糞の処理設備として利用することも期待できる。
【図面の簡単な説明】
【００２５】
【図１】本実施の形態に係るイワムシ飼育装置の外形図である。
【図２】図１に示されるＡ−Ａ線矢視断面図である。
【図３】図１に示すＢの部分の拡大図である。
【図４】本実施の形態に係る環形動物飼育装置の網部の繊維表面を模式した拡大図である。
【図５】本実施の形態に係るイワムシ飼育装置を排水路に浸漬した状態を示す概念図である。
【符号の説明】
【００２６】
１…イワムシ飼育装置  ２…本体容器  ３…多孔板  ４…孔  ５…網部  ５ａ…縦繊維  ５ｂ…横繊維  ６…水  ７…アオサ  ８…海藻  ９…イワムシ  １０…横板  １１…縦板  １２…エサ棚  １３…縁  １４…エサ  １５…窓孔  ２０…巣穴  ２１…マサ土  ２２…砂  ２３…排水路  ２４…岸  ２５…支持部材  ２６…排水  ２７…固定具  ２８…ブロック  ２９…水流方向
【図１】
2005176771.tif 000003
【図２】
2005176771.tif 000004
【図３】
2005176771.tif 000005
【図４】
2005176771.tif 000006
【図５】
2005176771.tif 000007